(57)【要約】【課題】  移動通信端末装置の現在位置の測位に際して、適切なアシストサービスを移動通信端末装置に対して提供する。【解決手段】  移動通信端末装置の現在位置の測位に際して、アシストサーバが、移動通信端末装置が在圏している領域の識別情報である領域ＩＤを含むＧＰＳアシスト要求を受けると、アシストサーバ内の領域判定部６４が、当該領域ＩＤに関するデータベース部６３内の登録情報におけるサービス可否情報が「否」であるか否かを判定する。この判定の結果が肯定的であった場合には、領域判定部６４は、アシストを拒否すべきであると判断し、その旨をアシスト情報返送部６５に報告する。この報告を受けたアシスト情報返送部６５は、アシスト拒否を、ＧＰＳアシスト要求を行った移動通信端末装置へ返送する。【選択図】  図７
2008002880.tif 000002
【特許請求の範囲】
【請求項１】
移動通信端末装置の現在位置測位のアシストを行う測位アシスト方法であって、
前記移動通信端末装置の在圏領域の識別情報である領域識別情報を含むアシスト要求を受けたときに、アシストサーバが、前記領域識別情報に基づいて、測位アシストサービスを提供できる領域に前記移動通信端末装置が在圏しているか否かを判定するサービス提供判定工程と；
サービス提供判定工程における判定の結果が否定的であった場合に、前記アシストサーバが、前記アシスト要求に応答して、サービス拒否を返送するサービス拒否工程と；を備える測位アシスト方法。
【請求項２】
前記領域識別情報は、前記移動通信端末装置が無線通信を行っている基地局が、前記移動通信端末装置と無線通信が可能な領域であるセル領域よりも広い領域を識別するための情報を含む、ことを特徴とする請求項１に記載の測位アシスト方法。
【請求項３】
前記アシスト要求には、ＧＰＳ測位のためのＧＰＳアシスト情報の要求であるＧＰＳアシスト要求が含まれる、ことを特徴とする請求項１又は２に記載の測位アシスト方法。
【請求項４】
前記サービス提供判定工程における判定の結果が肯定的であった場合に、前記アシストサーバが、前記ＧＰＳアシスト情報が有効な領域に前記移動通信端末装置が在圏しているか否かを判定するＧＰＳアシスト有効性判定工程と；
前記ＧＰＳアシスト有効性判定工程における判定の結果が肯定的であった場合に、前記アシストサーバが、前記在圏領域の有効な基準位置を前記ＧＰＳアシスト情報とともに返送できる領域に前記移動通信端末装置が在圏しているか否かを判定する基準位置判定工程と；
前記基準位置判定工程における判定の結果が否定的であった場合に、前記アシストサーバが、前記アシスト要求に応答して、アシスト情報として前記ＧＰＳアシスト情報のみを返送する第１アシスト情報返送工程と；
前記基準位置判定工程における判定の結果が肯定的であった場合に、前記アシストサーバが、前記アシスト要求に応答して、前記アシスト情報として前記ＧＰＳアシスト情報及び前記基準位置情報を返送する第２アシスト情報返送工程と；を更に備えることを特徴とする請求項３に記載の測位アシスト方法。
【請求項５】
前記ＧＰＳアシスト有効性判定工程における判定の結果が否定的であった場合に、前記アシストサーバが、前記ＧＰＳアシスト要求に応答して、前記移動通信端末装置が自律ＧＰＳ測位を行うことを推奨する旨を返送する自律ＧＰＳ測位推奨工程と；を更に備えることを特徴とする請求項３又は４に記載の測位アシスト方法。
【請求項６】
前記アシスト要求には、前記在圏領域の基準位置情報の要求である基準位置要求が含まれる、ことを特徴とする請求項１〜５のいずれか一項に記載の測位アシスト方法。
【請求項７】
前記サービス提供判定工程における判定の結果が肯定的であった場合に、前記アシストサーバが、前記基準位置情報が有効な領域に前記移動通信端末装置が在圏しているか否かを判定する基準位置有効性判定工程と；
前記基準位置有効性判定工程における判定の結果が否定的であった場合に、前記アシストサーバが、前記アシスト要求に応答して、前記移動通信端末装置が有効な基準位置を返送できない領域に在圏している旨を返送する第１返送工程と；
前記基準位置有効性判定工程における判定の結果が肯定的であった場合に、前記アシストサーバが、前記アシスト要求に応答して、前記基準位置情報を返送する第２返送工程と；を更に備えることを特徴とする請求項６に記載の測位アシスト方法。
【請求項８】
移動通信端末装置と通信可能な測位アシストサーバであって、
前記移動通信端末装置の在圏領域の識別情報である領域識別情報を含むアシスト要求を受けたときに、前記領域識別情報に基づいて、測位アシストサービスを提供できる領域に前記移動通信端末装置が在圏しているか否かを判定するサービス提供判定手段と；
サービス提供判定手段による判定の結果が否定的であった場合に、前記アシスト要求に応答して、サービス拒否を前記移動通信端末装置へ返送するサービス拒否手段と；を備える測位アシストサーバ。
【請求項９】
前記アシスト要求には、ＧＰＳ測位のためのＧＰＳアシスト情報の要求であるＧＰＳアシスト要求が含まれる、ことを特徴とする請求項８に記載の測位アシストサーバ。
【請求項１０】
前記サービス提供判定手段による判定の結果が肯定的であった場合に、前記ＧＰＳアシスト情報が有効な領域に前記移動通信端末装置が在圏しているか否かを判定するＧＰＳアシスト有効性判定手段と；
前記ＧＰＳアシスト有効性判定手段による判定の結果が肯定的であった場合に、前記在圏領域の有効な基準位置を前記ＧＰＳアシスト情報とともに返送できる領域に前記移動通信端末装置が在圏しているか否かを判定する基準位置判定手段と；
前記基準位置判定手段による判定の結果が否定的であった場合に、前記アシスト要求に応答して、アシスト情報として前記ＧＰＳアシスト情報のみを返送し、前記基準位置判定手段による判定の結果が肯定的であった場合に、前記アシスト要求に応答して、前記アシスト情報として前記ＧＰＳアシスト情報及び前記基準位置情報を返送するアシスト情報返送手段と；を更に備えることを特徴とする請求項９に記載の測位アシストサーバ。
【請求項１１】
前記ＧＰＳアシスト有効性判定手段による判定の結果が否定的であった場合に、前記アシストサーバが、前記ＧＰＳアシスト要求に応答して、前記移動通信端末装置が自律ＧＰＳ測位を行うことを推奨する旨を返送する自律ＧＰＳ測位推奨手段と；を更に備えることを特徴とする請求項９又は１０に記載の測位アシストサーバ。
【請求項１２】
前記アシスト要求には、前記在圏領域の基準位置情報の要求である基準位置要求が含まれる、ことを特徴とする請求項８〜１１のいずれか一項に記載の測位アシストサーバ。
【請求項１３】
前記サービス提供判定手段による判定の結果が肯定的であった場合に、前記基準位置情報が有効な領域に前記移動通信端末装置が在圏しているか否かを判定する基準位置有効性判定手段と；
前記基準位置有効性判定手段による判定の結果が否定的であった場合に、前記アシスト要求に応答して、前記移動通信端末装置が有効な基準位置を返送できない領域に在圏している旨を返送し、前記基準位置有効性判定手段による判定の結果が肯定的であった場合に、前記アシスト要求に応答して、前記基準位置情報を返送する基準位置情報返送手段と；を更に備えることを特徴とする請求項１２に記載の測位アシストサーバ。
【請求項１４】
移動通信端末装置と；
前記移動通信端末装置が、無線通信を利用して接続するネットワークと；
前記ネットワークに接続された請求項８〜１３のいずれか一項に記載のアシストサーバと；を備える測位システム。
【発明の詳細な説明】
【技術分野】
【０００１】
本発明は、測位アシスト方法、測位アシストサーバ及び測位システムに係り、より詳しくは、移動通信端末装置の現在位置測位のアシストを行う測位アシスト方法、当該測位アシスト方法を使用する測位システム、及び当該測位システムで採用可能なアシストサーバに関するものである。
【背景技術】
【０００２】
従来から、携帯電話装置等の移動通信端末装置が広く普及している。こうした移動通信端末装置の機能や性能の向上は目覚しく、移動通信端末装置としての必須機能である通話機能に加えて、移動通信端末装置の現在位置を計測する測位機能を有するものが登場してきている。
【０００３】
こうした移動通信端末装置における測位の一般的なものとして、ＧＰＳ（Global Positioning System）衛星を用いた測位がある。ＧＰＳ衛星を用いた測位としては、ネットワークに接続された測位アシストサーバからＧＰＳ衛星の捕捉用情報（アシスト情報）を取得することにより、移動通信端末装置自らが全天サーチを行わなくともＧＰＳ衛星を捕捉することができるアシストＧＰＳ測位が実用化されている（特許文献１等参照；以下、「従来例１」という）。
【０００４】
アシスト情報を提供する測位アシストサーバは、情報を要求する移動通信端末装置が在圏する領域の識別子（以下、「領域ＩＤ」と呼ぶ）に基づいて、その領域の基準位置情報を特定する。そして、測位アシストサーバは、特定された基準位置情報を利用してＧＰＳ衛星を捕捉するための情報を含むアシスト情報を導出し、移動通信端末装置に提供している。
【０００５】
ＧＰＳ衛星を利用しない測位としては、移動通信端末装置が在圏する領域（セル又はセルの集合）の基準位置情報を、移動通信端末装置の現在位置として用いる領域ＩＤ測位が行われている（以下、「従来例２」という）。この領域ＩＤ測位は、ＧＰＳ衛星を利用した測位ほど精度は高くないものの、ＧＰＳ衛星が捕捉できない場所であってもデータ通信が行える殆どの場所では測位可能なため、補完的な測位機能として使用されている。
【０００６】
【特許文献１】特開２００２−１９６０６３号公報
【発明の開示】
【発明が解決しようとする課題】
【０００７】
上述した従来例１及び従来例２の技術は、移動通信端末装置の現在位置の測位を、移動通信端末装置に大きな負荷をかけずに行うという観点からは、優れたものである。しかしながら、測位アシストサーバにとっては、移動通信端末装置からアシスト要求を受けたとしても、常に、移動通信端末装置に対して有効なアシスト情報を提供できる訳ではない。
【０００８】
例えば、領域ＩＤに基づく移動通信端末装置が在圏する領域の基準位置が特定できたとしても、当該領域が広い場合には、基準位置情報に基づいて算出されたＧＰＳ測位のためのアシスト情報が、基準位置と移動通信端末装置とが大きく離れているため、有効なアシスト情報とならないことが発生する。また、移動通信端末装置が在圏する領域によっては、測位アシストサーバがアシストサービスを提供できないこともある。こうした事情は、領域ＩＤ測位に関するアシストについても同様である。
【０００９】
上記のような事態は、移動通信端末装置が、海外ローミング先から測位のアシスト要求を発行した場合に多く発生することが考えられる。しかし、測位アシストサービスの提供側の測位アシストサーバが、上記のような事態の発生又は事態の発生の蓋然性を、どのように判別し、どのように対処していくかについては、現在、何等の提案もなされていない。
【００１０】
本発明は、上記の事情を鑑みてなされたものであり、移動通信端末装置の現在位置の測位に際して、適切なアシストサービスを移動通信端末装置に対して提供することができる測位アシスト方法及び測位システムを提供することを目的とする。
【００１１】
また、本発明は、移動通信端末装置の現在位置の測位に際して、適切なアシストサービスを移動通信端末装置に提供することができる測位システムにおいて採用可能な測位アシストサーバを提供することを目的とする。
【課題を解決するための手段】
【００１２】
本発明は、第１の観点からすると、移動通信端末装置の現在位置測位のアシストを行う測位アシスト方法であって、前記移動通信端末装置の在圏領域の識別情報である領域識別情報を含むアシスト要求を受けたときに、アシストサーバが、前記領域識別情報に基づいて、測位アシストサービスを提供できる領域に前記移動通信端末装置が在圏しているか否かを判定するサービス提供判定工程と；サービス提供判定工程における判定の結果が否定的であった場合に、前記アシストサーバが、前記アシスト要求に応答して、サービス拒否を返送するサービス拒否工程と；を備える測位アシスト方法である。
【００１３】
ここで、前記領域識別情報を、前記移動通信端末装置が無線通信を行っている基地局が、前記移動通信端末装置と無線通信が可能な領域であるセル領域よりも広い領域を識別するための情報を含むようにすることができる。
【００１４】
この測位アシスト方法では、移動通信端末装置が在圏している領域の識別情報である領域識別情報を含むアシスト要求を受けると、サービス提供判定工程において、アシストサーバが、領域識別情報に基づいて、測位アシストサービスを提供できる領域に移動通信端末装置が在圏しているか否かを判定する。この判定の結果が否定的であった場合には、サービス拒否工程において、アシストサーバが、アシスト要求に応答して、サービス拒否を返送する。この結果、移動通信端末装置は、測位アシストのサービスを受けて現在位置を測位することができないことになるが、測位アシストサービスを提供できない領域にいる移動通信端末装置への測位アシストサービスの提供を確実に防止することができる。
【００１５】
したがって、本発明の測位アシスト方法によれば、移動通信端末装置の現在位置の測位に際して、適切なアシストサービスを移動通信端末装置に提供することができる。
【００１６】
本発明の測位アシスト方法では、前記アシスト要求には、ＧＰＳ測位のためのＧＰＳアシスト情報の要求であるＧＰＳアシスト要求が含まれるようにすることができる。この場合には、移動通信端末装置の現在位置のＧＰＳ測位に際して、ＧＰＳアシスト情報を移動通信端末装置へ適切に提供することができる。
【００１７】
アシスト要求にＧＰＳアシスト要求が含まれるときには、前記サービス提供判定工程における判定の結果が肯定的であった場合に、前記アシストサーバが、前記ＧＰＳアシスト情報が有効な領域に前記移動通信端末装置が在圏しているか否かを判定するＧＰＳアシスト有効性判定工程と；前記ＧＰＳアシスト有効性判定工程における判定の結果が肯定的であった場合に、前記アシストサーバが、前記在圏領域の有効な基準位置を前記ＧＰＳアシスト情報とともに返送できる領域に前記移動通信端末装置が在圏しているか否かを判定する基準位置判定工程と；前記基準位置判定工程における判定の結果が否定的であった場合に、前記アシストサーバが、前記アシスト要求に応答して、アシスト情報として前記ＧＰＳアシスト情報のみを返送する第１アシスト情報返送工程と；前記基準位置判定工程における判定の結果が肯定的であった場合に、前記アシストサーバが、前記アシスト要求に応答して、前記アシスト情報として前記ＧＰＳアシスト情報及び前記基準位置情報を返送する第２アシスト情報返送工程と；を更に備えるようにすることができる。
【００１８】
この場合には、サービス提供判定工程における判定の結果が肯定的であったとき、ＧＰＳアシスト有効性判定工程において、アシストサーバが、ＧＰＳアシスト情報が有効な領域に移動通信端末装置が在圏しているか否かを判定する。かかる判定においては、移動通信端末装置が在圏している領域の広さが、ＧＰＳ測位のために有効なＧＰＳアシスト情報を提供することができる蓋然性が高いと判断できる広さであるか否かが判定される。
【００１９】
ＧＰＳアシスト有効性判定工程における判定の結果が肯定的であった場合には、基準位置判定工程において、アシストサーバが、在圏領域の有効な基準位置をＧＰＳアシスト情報とともに返送できる領域に移動通信端末装置が在圏しているか否かを判定する。かかる判定においては、移動通信端末装置が在圏している領域の広さが、基準位置情報を現在位置として有効に利用できる蓋然性が高いと判断できる広さか否かが判定される。
【００２０】
基準位置判定工程における判定の結果が否定的であった場合には、第１アシスト情報返送工程において、アシストサーバが、アシスト要求に応答して、アシスト情報としてＧＰＳアシスト情報のみを返送する。一方、基準位置判定工程における判定の結果が肯定的であった場合には、第２アシスト情報返送工程において、アシストサーバが、アシスト要求に応答して、アシスト情報としてＧＰＳアシスト情報及び基準位置情報を返送する。
【００２１】
このため、有効でないＧＰＳアシスト情報を利用したＧＰＳ測位を行って測位失敗を繰り返すことを防止することができる。また、ＧＰＳアシスト情報を利用したＧＰＳ測位に失敗したときに、移動通信端末装置がアシストサーバから提供された基準位置を現在位置と信じて利用した場合における混乱を防止することができる。
【００２２】
ここで、前記ＧＰＳアシスト有効性判定工程における判定の結果が否定的であった場合に、前記アシストサーバが、前記ＧＰＳアシスト要求に応答して、前記移動通信端末装置が自律ＧＰＳ測位を行うことを推奨する旨を返送する自律ＧＰＳ測位推奨工程と；を更に備えるようにすることができる。この場合には、自律ＧＰＳ測位を行うことを推奨する旨を受けた移動通信端末が自動的に自律測位を開始するようにすることにより、移動通信端末装置の利用者の利便性を向上することができる。
【００２３】
本発明の測位アシスト方法では、前記アシスト要求には、前記在圏領域の基準位置情報の要求である基準位置要求が含まれるようにすることができる。この場合には、移動通信端末装置の現在位置のＧＰＳ測位における補助的情報、又は、領域ＩＤ測位における測位結果として、移動通信端末装置が在圏する領域の基準位置を移動通信端末装置へ適切に提供することができる。
【００２４】
アシスト要求に基準位置要求が含まれるときには、前記サービス提供判定工程における判定の結果が肯定的であった場合に、前記アシストサーバが、前記基準位置情報が有効な領域に前記移動通信端末装置が在圏しているか否かを判定する基準位置有効性判定工程と；前記基準位置有効性判定工程における判定の結果が否定的であった場合に、前記アシストサーバが、前記アシスト要求に応答して、前記移動通信端末装置が有効な基準位置を返送できない領域に在圏している旨を返送する第１返送工程と；前記基準位置有効性判定工程における判定の結果が肯定的であった場合に、前記アシストサーバが、前記アシスト要求に応答して、前記基準位置情報を返送する第２返送工程と；を更に備えるようにすることができる。
【００２５】
この場合には、サービス提供判定工程における判定の結果が肯定的であったときに、基準位置有効性判定工程において、アシストサーバが、基準位置情報が有効な領域に移動通信端末装置が在圏しているか否かを判定する。かかる判定に際しては、上述した基準位置判定工程の場合と同様に、移動通信端末装置が在圏している領域の広さが、基準位置情報を現在位置として有効に利用できる蓋然性が高いと判断できる広さか否かが判定される。
【００２６】
基準位置有効性判定工程における判定の結果が否定的であった場合には、第１返送工程において、アシストサーバが、アシスト要求に応答して、移動通信端末装置が有効な基準位置を返送できない領域に在圏している旨を返送する。一方、基準位置有効性判定工程における判定の結果が肯定的であった場合には、第２返送工程において、アシストサーバが、アシスト要求に応答して、基準位置情報を返送する。
【００２７】
このため、移動通信端末装置がアシストサーバから提供された基準位置を現在位置と信じて利用した場合における混乱を防止することができる。
【００２８】
本発明は、第２の観点からすると、移動通信端末装置と通信可能な測位アシストサーバであって、前記移動通信端末装置の在圏領域の識別情報である領域識別情報を含むアシスト要求を受けたときに、前記領域識別情報に基づいて、測位アシストサービスを提供できる領域に前記移動通信端末装置が在圏しているか否かを判定するサービス提供判定手段と；サービス提供判定手段による判定の結果が否定的であった場合に、前記アシスト要求に応答して、サービス拒否を前記移動通信端末装置へ返送するサービス拒否手段と；を備える測位アシストサーバである。
【００２９】
この測位アシストサーバでは、移動通信端末装置が在圏している領域の識別情報である領域識別情報を含むアシスト要求を受けると、サービス提供判定手段が、領域識別情報に基づいて、測位アシストサービスを提供できる領域に移動通信端末装置が在圏しているか否かを判定する。この判定の結果が否定的であった場合には、サービス拒否手段が、アシスト要求に応答して、サービス拒否を返送する。このため、本発明の測位アシストサーバは、上述した本発明の測位アシスト方法においてアシストサーバとして要求される機能を果たすことができる。
【００３０】
本発明の測位アシストサーバでは、前記アシスト要求には、ＧＰＳ測位のためのＧＰＳアシスト情報の要求であるＧＰＳアシスト要求が含まれるようにすることができる。この場合には、移動通信端末装置の現在位置のＧＰＳ測位に際して、測位アシストサーバが、ＧＰＳアシスト情報を移動通信端末装置へ適切に提供することができる。
【００３１】
アシスト要求にＧＰＳアシスト要求が含まれるときには、本発明の測位アシストサーバが、前記サービス提供判定手段による判定の結果が肯定的であった場合に、前記ＧＰＳアシスト情報が有効な領域に前記移動通信端末装置が在圏しているか否かを判定するＧＰＳアシスト有効性判定手段と；前記ＧＰＳアシスト有効性判定手段による判定の結果が肯定的であった場合に、前記在圏領域の有効な基準位置を前記ＧＰＳアシスト情報とともに返送できる領域に前記移動通信端末装置が在圏しているか否かを判定する基準位置判定手段と；前記基準位置判定手段による判定の結果が否定的であった場合に、前記アシスト要求に応答して、アシスト情報として前記ＧＰＳアシスト情報のみを返送し、前記基準位置判定手段による判定の結果が肯定的であった場合に、前記アシスト要求に応答して、前記アシスト情報として前記ＧＰＳアシスト情報及び前記基準位置情報を返送するＧＰＳアシスト情報返送手段と；を更に備えるようにすることができる。
【００３２】
この場合には、サービス提供判定手段による判定の結果が肯定的であったとき、ＧＰＳアシスト有効性判定手段が、ＧＰＳアシスト情報が有効な領域に移動通信端末装置が在圏しているか否かを判定する。かかる判定において、ＧＰＳアシスト有効性判定手段は、移動通信端末装置が在圏している領域の広さが、ＧＰＳ測位のために有効なＧＰＳアシスト情報を提供することができる蓋然性が高いと判断できる広さであるか否かを判定する。
【００３３】
ＧＰＳアシスト有効性判定手段による判定の結果が肯定的であった場合には、基準位置判定手段が、ＧＰＳアシスト情報とともに、在圏領域の有効な基準位置を返送できる領域に移動通信端末装置が在圏しているか否かを判定する。かかる判定において、基準位置判定手段は、移動通信端末装置が在圏している領域の広さが、基準位置情報を現在位置として有効に利用できる蓋然性が高いと判断できる広さである否かを判定する。
【００３４】
基準位置判定手段による判定の結果が否定的であった場合には、アシスト情報返送手段が、アシスト要求に応答して、アシスト情報としてＧＰＳアシスト情報のみを返送する。一方、基準位置判定手段による判定の結果が肯定的であった場合には、アシスト情報返送手段が、アシスト要求に応答して、アシスト情報としてＧＰＳアシスト情報及び基準位置情報を返送する。
【００３５】
このため、有効でないＧＰＳアシスト情報を利用したＧＰＳ測位を行って測位失敗を繰り返すことを防止することができる。また、ＧＰＳアシスト情報を利用したＧＰＳ測位に失敗したときに、移動通信端末装置がアシストサーバから提供された基準位置を現在位置と信じて利用した場合における混乱を防止することができる。
【００３６】
ここで、前記ＧＰＳアシスト有効性判定手段による判定の結果が否定的であった場合に、前記アシストサーバが、前記ＧＰＳアシスト要求に応答して、前記移動通信端末装置が自律ＧＰＳ測位を行うことを推奨する旨を返送する自律ＧＰＳ測位推奨手段と；を更に備えるようにすることができる。この場合には、自律ＧＰＳ測位を行うことを推奨する旨を受けた移動通信端末が自動的に自律測位を開始するようにすることにより、移動通信端末装置の利用者の利便性を向上することができる。
【００３７】
本発明の測位アシストサーバでは、前記アシスト要求には、前記在圏領域の基準位置情報の要求である基準位置要求が含まれるようにすることができる。この場合には、移動通信端末装置の現在位置のＧＰＳ測位における補助的情報、又は、領域ＩＤ測位における測位結果として、移動通信端末装置が在圏する領域の基準位置を移動通信端末装置へ適切に提供することができる。
【００３８】
アシスト要求に基準位置要求が含まれるときには、本発明の測位アシストサーバが、前記サービス提供判定手段による判定の結果が肯定的であった場合に、前記基準位置情報が有効な領域に前記移動通信端末装置が在圏しているか否かを判定する基準位置有効性判定手段と；前記基準位置有効性判定手段による判定の結果が否定的であった場合に、前記アシスト要求に応答して、前記移動通信端末装置が有効な基準位置を返送できない領域に在圏している旨を返送し、前記基準位置有効性判定手段による判定の結果が肯定的であった場合に、前記アシスト要求に応答して、前記基準位置情報を返送する基準位置情報返送手段と；を更に備えるようにすることができる。
【００３９】
この場合には、サービス提供判定手段による判定の結果が肯定的であったときに、基準位置有効性判定手段が、基準位置情報が有効な領域に移動通信端末装置が在圏しているか否かを判定する。かかる判定に際しては、上述した基準位置判定手段の場合と同様に、基準位置有効性判定手段は、移動通信端末装置が在圏している領域の広さが、基準位置情報を現在位置として有効に利用できる蓋然性が高いと判断できる広さであるか否かを判定する。
【００４０】
基準位置有効性判定手段による判定の結果が否定的であった場合には、基準位置情報返送手段が、アシスト要求に応答して、移動通信端末装置が有効な基準位置を返送できない領域に在圏している旨を返送する。一方、基準位置有効性判定手段による判定の結果が肯定的であった場合には、基準位置情報返送手段が、アシスト要求に応答して、基準位置情報を返送する。
【００４１】
このため、移動通信端末装置が測位アシストサーバから提供された基準位置を現在位置と信じて利用した場合における混乱を防止することができる。
【００４２】
本発明は、第３の観点からすると、移動通信端末装置と；前記移動通信端末装置が、無線通信を利用して接続するネットワークと；前記ネットワークに接続された本発明のアシストサーバと；を備える測位システムである。
【００４３】
この測位システムでは、移動通信端末装置の現在位置の測位に際して、アシストサーバが、上述した本発明の測位アシスト方法においてアシストサーバとして要求される機能を果たす。このため、本発明の測位システムでは、本発明の測位アシスト方法を使用して、移動通信端末装置の現在位置を測位するためのアシストを行うことができる。したがって、本発明の測位システムによれば、移動通信端末装置の現在位置の測位に際して、適切なアシストサービスを移動通信端末装置に提供することができる。
【発明の効果】
【００４４】
以上説明したように、本発明の測位アシスト方法及び測位システムによれば、移動通信端末装置の現在位置の測位に際して、適切なアシストサービスを移動通信端末装置に提供することができるという効果を奏する。
【００４５】
また、本発明のアシストサーバは、移動通信端末装置の現在位置の測位に際して、適切なアシストサービスを移動通信端末装置に提供することができる測位システムの構築のために採用することができる。
【発明を実施するための最良の形態】
【００４６】
以下、本発明の一実施形態を、図１〜図１９を参照しつつ説明する。なお、これらの図においては、同一又は同等の要素には同一の符号を付し、重複する説明を省略する。
【００４７】
図１には、本発明の一実施形態に係る測位システム１００の構成が模式的に示されている。図１に示されるように、この測位システム１００は、（ａ）アシストＧＰＳ測位を行う際、自ら位置計算を行う、いわゆるMS-based方式の機能を有する移動通信端末装置である携帯電話装置１０Ａと、（ｂ）アシストＧＰＳ測位を行う際、自ら位置計算を行わない、いわゆるMS-Assisted方式の機能を有する移動通信端末装置である携帯電話装置１０Ｂと、（ｃ）携帯電話装置１０Ａ及び１０Ｂと無線通信を行う基地局４１と、（ｄ）基地局４１が接続されたネットワーク４０と、（ｅ）ネットワーク４０に接続されたアシスト情報の提供を行うアシストサーバ５０と、（ｆ）携帯電話装置１０Ａ及び１０Ｂ、並びにアシストサーバ５０等に、位置観測用の電波を送信するＧＰＳ衛星７０の一群であるＧＰＳ衛星群７５とを備えている。なお、図１においては、携帯電話装置１０Ａ及び１０Ｂの双方が基地局４１と無線通信を行う例が代表的に示されているが、ネットワーク４０には多数の基地局が接続されており、携帯電話装置１０Ａと携帯電話装置１０Ｂとが互いに異なる基地局と無線通信を行うことも可能となっている。
【００４８】
図２には、携帯電話装置１０Ａの外観構成が概略的に示されている。図２（Ａ）及び図２（Ｂ）により総合的に示されるように、携帯電話装置１０Ａは、（ａ）内部システムを収納するシャーシ１１と、（ｂ）電話番号を入力するためのテンキー、及び、動作モードの切替等の各種指令を入力するためのファンクションキーを有する操作部１２と、（ｂ）携帯電話装置１０Ａの操作案内、動作状況、受信メッセージ等を表示する液晶表示装置を有する表示部１３と、（ｃ）通話時に通信相手から送られてきた音声信号を再生する通話用スピーカ１４とを備えている。また、携帯電話装置１０Ａは、（ｄ）集音時に音を入力したり、通話時に音声を入力したりするためのマイクロフォン１５と、（ｅ）着信音や案内音を発生するための案内用スピーカ１６と、（ｆ）基地局４１と無線通信を行うためのアンテナ１７とを備えている。
【００４９】
シャーシ１１内の内部システムは、図３に示されるように、（ｉ）携帯電話装置１０Ａの全体を制御する制御部２１Ａと、（ii）アンテナ１７を介して基地局４１との無線通信を行う送受信部２２と、（iii）ＧＰＳアンテナ２３を介してＧＰＳ衛星７０と無線通信を行うＧＰＳ受信部２４とを備えている。ここで、制御部２１Ａは、MS-based方式によるＧＰＳ測位を行うアシストＧＰＳ測位部３１Ａと、自律ＧＰＳ測位を行う自律ＧＰＳ測位部３２と、領域ＩＤ測位を行う領域ＩＤ測位部３３とを備えている。
【００５０】
アシストＧＰＳ測位部３１Ａは、基地局４１との無線通信により得られる領域ＩＤを指定したＧＰＳ衛星７０を捕捉するための捕捉用アシスト情報、及び、位置を算出するための位置算出用アシスト情報の要求である第１種ＧＰＳアシスト要求をネットワーク４０を介してアシストサーバ５０へ送る。この第１種アシスト要求に応答してアシストサーバ５０から捕捉用アシスト情報及び位置算出用アシスト情報が返送されてくると、アシストＧＰＳ測位部３１Ａは、これらの情報を利用して、ＧＰＳ衛星７０の捕捉、捕捉されたＧＰＳ衛星の信号の受信、当該受信の結果に基づく位置算出を行う。なお、「領域ＩＤ」には、基地局４１の識別ＩＤであり、ＲＮＣ−ＩＤ(Radio Network Controller-ID)、ＬＡＣ（Location Area Code）、ＭＣＣ（Mobile Country Code）、ＭＮＣ（Mobile Network Code）等の少なくとも１つである基地局４１が無線通信可能なセルを含む領域の識別情報も含まれる。
【００５１】
自律ＧＰＳ測位部３２は、利用者により自律ＧＰＳ測位指令がなされた場合、又は、アシストサーバ５０から自律ＧＰＳ測位を推奨する旨を受けた場合に、自律ＧＰＳ測位を行う。この自律ＧＰＳ測位に際して、自律ＧＰＳ測位部３２は、天頂方向を出発観測方向として、順次観測方向を変化させて、ＧＰＳ衛星７０の捕捉を試みる。そして、必要数のＧＰＳ衛星７０が捕捉されると、捕捉されたＧＰＳ衛星からの信号の受信を行う。そして、当該受信の結果に基づく位置算出を行う。
【００５２】
領域ＩＤ測位部３３は、領域ＩＤを指定した当該領域ＩＤの基準位置情報の要求である基準位置要求をネットワーク４０を介してアシストサーバ５０へ送る。この基準位置要求に応答してアシストサーバ５０から基準位置情報が返送されてくると、返送されてきた基準位置情報を測位結果として取得する。なお、アシストＧＰＳ測位部３１Ａも、ＧＰＳ測位のために在圏している領域の基準位置が必要となった場合には、基準位置要求をアシストサーバへ送るようになっている。
【００５３】
携帯電話装置１０Ｂは、図４に示されるように、上記の携帯電話装置１０Ａと比べて、制御部２１Ａに代えて制御部２１Ｂを備える点のみが異なっている。ここで、制御部２１Ｂは、制御部２１Ａと比べて、アシストＧＰＳ測位部３１Ａに代えて、MS-Assisted方式によるＧＰＳ測位を行うアシストＧＰＳ測位部３１Ｂを備える点、及び、自律ＧＰＳ測位部３２を備えていない点が異なっている。なお、アシストＧＰＳ測位部３１Ｂは、基地局４１との無線通信により得られる領域ＩＤを指定したＧＰＳ衛星７０を捕捉するための捕捉用アシスト情報の要求である第２種ＧＰＳアシスト要求をアシストサーバへ送るようになっている。また、アシストＧＰＳ測位部３１Ｂは、捕捉されたＧＰＳ衛星７０から信号を受信すると、その受信の結果を添えた位置算出要求をアシストサーバへ送るようになっている。
【００５４】
なお、携帯電話装置１０Ｂの外観構成は、携帯電話装置１０Ａと同様であり、重複する説明を省略した。
【００５５】
図５には、アシストサーバ５０の内部構成が概略的に示されている。図５に示されるように、アシストサーバ５０は、（ｉ）ＧＰＳ衛星からの電波を受信するための衛星電波受信部５１と、（ii）ネットワーク４０との通信を行う送受信部５２と、（iii）アシストサーバ全体を統括制御する制御部５３とを備えている。
【００５６】
ここで、制御部５３は、（ｉ）衛星電波受信部５１から通知されるＧＰＳ衛星の信号を解析するとともに、送受信部５２を介して受信した領域識別情報である領域ＩＤを指定したＧＰＳアシスト要求に対応する処理を行うアシスト要求処理部６１と、（ii）送受信部５２を介して受信した領域識別情報である領域ＩＤを指定した基準位置要求に対応する処理を行う基準位置要求処理部６２と、（iii）領域ＩＤに対応する情報を記憶するデータベース部６３とを備えている。
【００５７】
データベース部６３は、図６に示されるように、領域ＩＤごとに、サービス可否情報、基準位置情報、地域の大きさ情報である平均領域半径情報が登録されている。ここで、サービス可否情報は、アシストサービス地域であるか否かを示すであり、セルごとに定まることもあり得るが、一般には、ＲＮＣ−ＩＤ(Radio Network Controller-ID)、ＬＡＣ（Location Area Code）、ＭＣＣ（Mobile Country Code）、ＭＮＣ（Mobile Network Code）ごとに定められる。また、基準位置情報としては、基地局の位置、又は、基地局の位置が適宜補正された位置が登録される。
【００５８】
また、平均領域半径情報としては、基準位置が代表位置とされる領域の平均半径が登録される。こうした基準位置が代表位置とされる領域は、通常はセル領域となるようになっている。
【００５９】
アシスト要求処理部６１は、データベース部６３を参照して、領域ＩＤを指定した第１種及び第２種ＧＰＳアシスト要求（以下、総称する場合には、「ＧＰＳアシスト要求」又は「アシスト要求」と記す）、並びに位置算出要求に対応する処理を行う。このアシスト要求処理部６１は、図７に示されるように、領域判定部６４と、アシスト情報返送部６５と、位置算出部６６とを備えている。
【００６０】
領域判定部６４は、ＧＰＳアシスト要求において指定された領域ＩＤに関するデータベース部６３内の登録情報に基づいて、提供できるアシストサービスの内容を判断する。具体的には、当該領域ＩＤに関してサービス可否情報が「否」である場合には、領域判定部６４は、アシストを拒否すべきであると判断する。
【００６１】
また、当該領域ＩＤに関してサービス可否情報が「可」であり、平均領域半径が所定の第１閾値（本実施形態では、１０００ｋｍ）以上であった場合には、アシスト要求処理部６１としてＧＰＳ測位のために有効なアシスト情報を求めることができない蓋然性が高い。そこで、この場合には、領域判定部６４は、自律ＧＰＳ測位を促すべきであると判断する。
【００６２】
また、当該領域ＩＤに関してサービス可否情報が「可」であり、平均領域半径が所定の第２閾値（本実施形態では、５００ｍ）以上、所定の第１閾値未満であった場合には、アシスト要求処理部６１としてＧＰＳ測位のための有効なアシスト情報を求めることができる蓋然性は高いが、携帯電話装置１０Ａ又は１０Ｂが基準位置情報を有効活用できる蓋然性が低い。そこで、この場合には、領域判定部６４は、アシスト情報は提供すべきであるが、携帯電話装置１０Ａ又は１０ＢにおいてＧＰＳ測位に失敗した場合に利用するための基準位置情報は提供すべきではないと判断する。
【００６３】
また、サービス可否情報が「可」であり、かつ、平均領域半径が所定の第２閾値未満であった場合には、アシスト要求処理部６１としてＧＰＳ測位のための有効なアシスト情報を求めることができる蓋然性が高く、かつ、携帯電話装置１０Ａ又は１０Ｂが基準位置情報を有効活用できる蓋然性が高い。そこで、この場合には、領域判定部６４は、アシスト情報、及び、携帯電話装置１０Ａ又は１０ＢにおいてＧＰＳ測位に失敗した場合に利用するための基準位置情報を提供すべきである判断する。
【００６４】
以上のようにして行われた領域判定部６４による判断の結果は、アシスト情報返送部６５に報告される。なお、領域判定部６４は、受信したＧＰＳアシスト要求が第１種ＧＰＳアシスト要求及び第２種ＧＰＳアシスト要求のいずれであるかを、判断の結果と併せてアシスト情報返送部６５に報告する。
【００６５】
アシスト情報返送部６５は、領域判定部６４による判断の結果に基づいて、ＧＰＳアシスト要求に対する応答を携帯電話装置１０Ａ又は１０Ｂに返送する。具体的には、領域判定部６４からアシストを拒否すべきである旨の報告を受けた場合には、アシスト情報返送部６５は、アシスト拒否を、アシスト要求を行った携帯電話装置１０Ａ又は１０Ｂへ返送する。また、領域判定部６４から自律ＧＰＳ測位を促すべきである旨の報告を受けた場合には、アシスト情報返送部６５は、自律ＧＰＳ測位を推奨する旨を、アシスト要求を行った携帯電話装置１０Ａ又は１０Ｂへ返送する。
【００６６】
また、領域判定部６４からアシスト情報は提供すべきであるが、基準位置情報は提供すべきではない旨の報告を受けた場合には、アシスト情報返送部６５は、まず、衛星電波受信部５１から通知されるＧＰＳ衛星の信号を参照しつつ、提供すべきアシスト情報を算出する。例えば、MS-based方式の機能を有する移動通信端末装置１０Ａから発行された上述の第１種ＧＰＳアシスト要求に対しては、アシスト情報返送部６５は、捕捉用アシスト情報、及び、位置を算出するための位置算出用アシスト情報を、アシスト情報として算出する。そして、アシスト情報返送部６５は、基準位置情報を提供しない旨を添えて、算出されたアシスト情報を、携帯電話装置１０Ａへ返送する。また、MS-Assisted方式の機能を有する移動通信端末装置１０Ｂから発行された上述の第２種ＧＰＳアシスト要求を受けた場合には、アシスト情報返送部６５は、捕捉用アシスト情報を、アシスト情報として算出する。そして、アシスト情報返送部６５は、基準位置情報を提供しない旨を添えて、算出されたアシスト情報を、アシスト要求を行った携帯電話装置１０Ｂへ返送する。
【００６７】
また、領域判定部６４からアシスト情報及び基準位置情報を提供すべきである旨の報告を受けた場合には、アシスト情報返送部６５は、まず、上記と同様にして、提供すべきアシスト情報を算出する。そして、アシスト情報返送部６５は、算出されたアシスト情報及び基準位置情報を、アシスト要求を行った携帯電話装置１０Ａ又は１０Ｂへ返送する。
【００６８】
位置算出部６６は、捕捉用アシスト情報を利用して捕捉されたＧＰＳ衛星７０からの信号の受信結果を添えた位置算出要求を携帯電話装置１０Ｂから受けると、衛星電波受信部５１から通知されるＧＰＳ衛星の信号を参照しつつ、位置算出要求に添えられたＧＰＳ衛星７０からの信号の受信結果に基づいて、位置算出を行う。そして、位置算出部６６は、算出された位置を携帯電話装置１０Ｂへ返送する。
【００６９】
基準位置要求処理部６２は、データベース部６３を参照して、領域ＩＤを指定した基準位置要求に対応する処理を行う。この基準位置要求処理部６２は、図８に示されるように、領域判定部６７と、基準位置返送部６８とを備えている。
【００７０】
領域判定部６７は、基準位置要求において指定された領域ＩＤに関するデータベース部６３内の登録情報に基づいて、提供できるアシストサービスの内容を判断する。具体的には、当該領域ＩＤに関してサービス可否情報が「否」である場合には、領域判定部６４は、アシストを拒否すべきであると判断する。
【００７１】
また、当該領域ＩＤに関してサービス可否情報が「可」であり、平均領域半径が５００ｍ以上であった場合には、携帯電話装置１０Ａ又は１０Ｂが基準位置情報を有効活用できる蓋然性が低い。そこで、この場合には、領域判定部６７は、基準位置情報を提供すべきではないと判断する。
【００７２】
また、サービス可否情報が「可」であり、かつ、平均領域半径が５００ｍ未満であった場合には、携帯電話装置１０Ａ又は１０Ｂが基準位置情報を有効活用できる蓋然性が高い。そこで、この場合には、領域判定部６７は、基準位置情報を提供すべきであると判断する。
【００７３】
以上のようにして行われた領域判定部６７による判断の結果は、基準位置返送部６８に報告される。なお、領域判定部６７は、基準位置情報を提供すべきであると判断した場合には、データベース部６３から読み取った基準位置を、判断の結果と併せて基準位置返送部６８に報告する。
【００７４】
基準位置返送部６８は、領域判定部６７による判断の結果に基づいて、ＧＰＳアシスト要求に対する応答を携帯電話装置１０Ａ又は１０Ｂに返送する。具体的には、領域判定部６７からアシストを拒否すべきである旨の報告を受けた場合には、基準位置返送部６８は、アシスト拒否を、基準位置要求を行った携帯電話装置１０Ａ又は１０Ｂへ返送する。
【００７５】
また、領域判定部６７から基準位置情報を提供すべきではない旨の報告を受けた場合には、基準位置返送部６８は、基準位置情報を提供しない旨を、基準位置要求を行った携帯電話装置１０Ａ又は１０Ｂへ返送する。また、領域判定部６７から基準位置情報を提供すべきである旨の報告を受けた場合には、アシスト情報返送部６５は、基準位置情報を、アシスト要求を行った携帯電話装置１０Ａ又は１０Ｂへ返送する。
【００７６】
［動作］
次に、上記のように構成された測位システム１００における携帯電話装置１０Ａ及び１０Ｂの位置の測位動作について、主に図９〜図１９を参照して説明する。
【００７７】
＜ＧＰＳアシスト要求に対する応答処理＞
まず、アシストサーバ５０におけるアシスト要求処理部６１によるＧＰＳアシスト要求に対する応答処理について説明する。このＧＰＳアシスト要求に対する応答処理は、携帯電話装置１０Ａ又は１０ＢからのＧＰＳアシスト要求を、アシスト要求処理部６１における領域判定部６４が受けると開始される。
【００７８】
図９に示されるように、ＧＰＳアシスト要求に対する応答処理（ステップＳ１０）では、ステップＳ１１において、領域判定部６４が、ＧＰＳアシスト要求において指定された領域ＩＤをキーにしてデータベース部６３を参照する。そして、領域判定部６４は、当該領域ＩＤに関するサービス可否情報に基づいて、当該アシスト要求に対してサービスを提供することができるか否かを判定する。
【００７９】
ステップＳ１１における判定の結果が否定的であった場合（ステップＳ１１：Ｎ）には、領域判定部６４は、アシストサービスの提供を拒否すべきであると判断し、その旨をアシスト情報返送部６５に報告する。そして、処理はステップＳ１７へ進む。このステップＳ１７では、アシスト情報返送部６５が、アシスト拒否を、アシスト要求を行った携帯電話装置１０Ａ又は１０Ｂへ返送する。そして、ステップＳ１０の処理が終了する。
【００８０】
ステップＳ１１における判定の結果が肯定的であった場合（ステップＳ１１：Ｙ）には、処理はステップＳ１２へ進む。このステップＳ１２では、領域判定部６４が、当該領域ＩＤに対応する領域の平均領域半径が１０００ｋｍ以上か否かを判定する。
【００８１】
ステップＳ１２における判定の結果が肯定的であった場合（ステップＳ１２：Ｙ）には、領域判定部６４が、自律ＧＰＳ測位を促すべきであると判断し、その旨をアシスト情報返送部６５に報告する。そして、処理はステップＳ１４へ進む。このステップＳ１４では、アシスト情報返送部６５が、自律ＧＰＳ測位を推奨する旨を、アシスト要求を行った携帯電話装置１０Ａ又は１０Ｂへ送る。そして、ステップＳ１０の処理が終了する。
【００８２】
ステップＳ１２における判定の結果が否定的であった場合（ステップＳ１２：Ｎ）には、処理はステップＳ１３へ進む。このステップＳ１３では、領域判定部６４が、当該領域ＩＤに対応する領域の平均領域半径が５００ｍ以上か否かを判定する。
【００８３】
ステップＳ１３における判定の結果が肯定的であった場合（ステップＳ１３：Ｙ）には、領域判定部６４が、アシスト情報は提供すべきであるが、基準位置情報は提供すべきではないと判断する。引き続き、領域判定部６４は、判断の結果、並びに受信したＧＰＳアシスト要求が第１種ＧＰＳアシスト要求及び第２種ＧＰＳアシスト要求のいずれであるか、及び当該ＧＰＳアシスト要求で指定された領域ＩＤの基準位置をアシスト情報返送部６５に報告する。そして、処理はステップＳ１５へ進む。
【００８４】
ステップＳ１５では、アシスト情報返送部６５が、まず、衛星電波受信部５１から通知されるＧＰＳ衛星の信号を参照しつつ、提供すべきアシスト情報を算出する。例えば、第１種ＧＰＳアシスト要求に対しては、アシスト情報返送部６５は、捕捉用アシスト情報、及び、位置を算出するための位置算出用アシスト情報を、アシスト情報として算出する。また、第２種ＧＰＳアシスト要求を受けた場合には、アシスト情報返送部６５は、捕捉用アシスト情報を、アシスト情報として算出する。そして、アシスト情報返送部６５は、基準位置情報を提供しない旨を添えて、算出されたアシスト情報を、ＧＰＳアシスト要求を行った携帯電話装置１０Ａ又は１０Ｂへ返送する。そして、ステップＳ１０の処理が終了する。
【００８５】
ステップＳ１３における判定の結果が否定的であった場合（ステップＳ１３：Ｎ）には、領域判定部６４が、アシスト情報及び基準位置情報を提供すべきであると判断する。引き続き、領域判定部６４は、判断の結果、並びに受信したＧＰＳアシスト要求が第１種ＧＰＳアシスト要求及び第２種ＧＰＳアシスト要求のいずれであるか、及び当該ＧＰＳアシスト要求で指定された領域ＩＤの基準位置をアシスト情報返送部６５に報告する。そして、処理はステップＳ１６へ進む。
【００８６】
ステップＳ１６では、アシスト情報返送部６５が、まず、上記のステップＳ１５の場合と同様にして、提供すべきアシスト情報を算出する。そして、アシスト情報返送部６５は、算出されたアシスト情報及び基準位置を、ＧＰＳアシスト要求を行った携帯電話装置１０Ａ又は１０Ｂへ返送する。そして、ステップＳ１０の処理が終了する。
【００８７】
＜位置算出要求に対する応答処理＞
次に、アシストサーバ５０におけるアシスト要求処理部６１による位置算出要求に対する応答処理について説明する。この位置算出要求に対する応答処理は、携帯電話装置１０Ｂからの位置算出要求を、アシスト要求処理部６１における位置算出部６６が受けると開始される。
【００８８】
ＧＰＳアシスト要求に対する応答処理では、携帯電話装置１０ＢからＧＰＳ衛星７０からの信号の受信結果を添えた位置算出要求を受けると、衛星電波受信部５１から通知されるＧＰＳ衛星の信号を参照しつつ、位置算出要求に添えられたＧＰＳ衛星７０からの信号の受信結果に基づいて、位置算出を行う。そして、位置算出部６６は、算出された位置を携帯電話装置１０Ｂへ返送する。
【００８９】
＜基準位置要求に対する応答処理＞
次いで、アシストサーバ５０における基準位置要求処理部６２による基準位置要求に対する応答処理について説明する。この基準位置要求に対する応答処理は、携帯電話装置１０Ａ又は１０Ｂからの基準位置要求を、基準位置要求処理部６２における領域判定部６７が受けると開始される。
【００９０】
図１０に示されるように、基準位置要求に対する応答処理Ｓ２０では、ステップＳ２１において、領域判定部６７が、アシスト要求において指定された領域ＩＤをキーにしてデータベース部６３を参照する。そして、領域判定部６７は、当該領域ＩＤに関するサービス可否情報に基づいて、当該基準位置要求に対してサービスを提供することができるか否かを判定する。
【００９１】
ステップＳ２１における判定の結果が否定的であった場合（ステップＳ２１：Ｎ）には、領域判定部６７は、基準位置提供サービスを拒否すべきであると判断し、その旨を基準位置返送部６８に報告する。そして、処理はステップＳ２５へ進む。このステップＳ２５では、基準位置返送部６８が、サービス拒否を、基準位置要求を行った携帯電話装置１０Ａ又は１０Ｂへ返送する。そして、ステップＳ２０の処理が終了する。
【００９２】
ステップＳ２１における判定の結果が肯定的であった場合（ステップＳ２１：Ｙ）には、処理はステップＳ２２へ進む。このステップＳ２２では、当該領域ＩＤに対応する領域の平均領域半径が５００ｍ以上か否かを判定する。
【００９３】
ステップＳ２２における判定の結果が肯定的であった場合（ステップＳ２２：Ｙ）には、領域判定部６７は、基準位置情報を提供すべきではないと判断し、その旨を基準位置返送部６８へ報告する。そして、処理はステップＳ２４へ進む。このステップＳ２４では、基準位置返送部６８が、有効な基準位置を提供できない旨を、基準位置要求を行った携帯電話装置１０Ａ又は１０Ｂへ返送する。そして、ステップＳ２０の処理が終了する。
【００９４】
ステップＳ２２における判定の結果が否定的であった場合（ステップＳ２２：Ｎ）には、領域判定部６７は、基準位置情報を提供すべきであると判断し、その旨及び基準位置を基準位置返送部６８へ報告する。そして、処理はステップＳ２３へ進む。このステップＳ２３では、基準位置返送部６８が、基準位置を、基準位置要求を行った携帯電話装置１０Ａ又は１０Ｂへ返送する。そして、ステップＳ２０の処理が終了する。
【００９５】
＜様々な領域からＧＰＳアシスト要求が行われた場合の処理＞
次に、携帯電話装置１０Ａ又は１０Ｂが、図６の領域ＩＤがＲＩＤ０００１〜０００４である領域からＧＰＳアシスト要求を行う場合の処理について説明する。
【００９６】
（１）領域ＩＤがＲＩＤ０００１である領域からのＧＰＳアシスト要求
この場合には、図１１に示されるように、まず、携帯電話装置１０Ａ又は１０Ｂが、領域ＩＤがＲＩＤ０００１である領域から基地局４１及びネットワーク４０を介して、ＧＰＳアシスト要求を行う。このＧＰＳアシスト要求には、携帯電話装置１０Ａ又は１０Ｂが在圏する領域の領域ＩＤ（＝ＲＩＤ０００１）等の情報が含まれている。
【００９７】
アシストサーバ５０では、アシスト要求処理部６１が、ＧＰＳアシスト要求を受ける。ＧＰＳアシスト要求を受けたアシスト要求処理部６１は、上述したＧＰＳアシスト要求に対する応答処理Ｓ１０の処理を行う。ここで、領域ＩＤ（＝ＲＩＤ０００１）に対応するサービス可否情報は「不可」なので（図６参照）、アシスト要求処理部６１は、アシスト拒否を返送する。このアシスト拒否を受けた携帯電話装置１０Ａ又は１０Ｂは、今回のＧＰＳ測位を失敗することになる。
【００９８】
（２）領域ＩＤがＲＩＤ０００２である領域からのＧＰＳアシスト要求
この場合には、図１２に示されるように、まず、携帯電話装置１０Ａ又は１０Ｂが、領域ＩＤがＲＩＤ０００２である領域から基地局４１及びネットワーク４０を介して、ＧＰＳアシスト要求を行う。このＧＰＳアシスト要求には、携帯電話装置１０Ａ又は１０Ｂが在圏する領域の領域ＩＤ（＝ＲＩＤ０００２）等の情報が含まれている。
【００９９】
アシストサーバ５０では、アシスト要求処理部６１が、ＧＰＳアシスト要求を受ける。ＧＰＳアシスト要求を受けたアシスト要求処理部６１は、上述したＧＰＳアシスト要求に対する応答処理Ｓ１０の処理を行う。ここで、領域ＩＤ（＝ＲＩＤ０００２）に対応するサービス可否情報は「可」であり、平均領域半径が１０００ｋｍ以上であるので（図６参照）、アシスト要求処理部６１は、自律ＧＰＳ測位を推奨する旨を返送する。
【０１００】
当該ＧＰＳアシスト要求を発行したのが携帯電話装置１０Ａであった場合には、自律ＧＰＳ測位を推奨する旨を受けた携帯電話装置１０Ａでは、自律ＧＰＳ測位部３２が自律ＧＰＳ測位を実行する。一方、当該ＧＰＳアシスト要求を発行したのが携帯電話装置１０Ｂであった場合には、携帯電話装置１０Ｂは自律ＧＰＳ測位機能を有していないので、携帯電話装置１０Ｂは、今回のＧＰＳ測位を失敗することになる。
【０１０１】
（３）領域ＩＤがＲＩＤ０００３である領域からのＧＰＳアシスト要求
（３−１）携帯電話装置１０Ａの場合
この場合には、図１３に示されるように、まず、携帯電話装置１０Ａが、領域ＩＤがＲＩＤ０００３である領域から基地局４１及びネットワーク４０を介して、ＧＰＳアシスト要求（第１種ＧＰＳアシスト要求）を行う。このＧＰＳアシスト要求には、携帯電話装置１０Ａが在圏する領域の領域ＩＤ（＝ＲＩＤ０００３）等の情報が含まれている。
【０１０２】
アシストサーバ５０では、アシスト要求処理部６１が、ＧＰＳアシスト要求を受ける。ＧＰＳアシスト要求を受けたアシスト要求処理部６１は、上述したＧＰＳアシスト要求に対する応答処理Ｓ１０の処理を行う。ここで、領域ＩＤ（＝ＲＩＤ０００３）に対応するサービス可否情報は「可」であり、平均領域半径が５００ｍ以上、１０００ｋｍ未満であるので（図６参照）、アシスト要求処理部６１は、基準位置情報を提供しない旨を添えて、算出されたアシスト情報（捕捉用アシスト情報及び位置算出用アシスト情報）を、携帯電話装置１０Ａへ返送する。
【０１０３】
算出されたアシスト情報を受けた携帯電話装置１０Ａでは、アシストＧＰＳ測位部３１Ａが、アシストＧＰＳ測位を行う。なお、このアシストＧＰＳ測位が失敗した場合には、基準位置の代替ができないので、携帯電話装置１０Ａにおける今回のＧＰＳ測位の失敗が確定する。
【０１０４】
（３−２）携帯電話装置１０Ｂの場合
この場合には、図１４に示されるように、まず、携帯電話装置１０Ｂが、領域ＩＤがＲＩＤ０００３である領域から基地局４１及びネットワーク４０を介して、ＧＰＳアシスト要求（第２種ＧＰＳアシスト要求）を行う。このＧＰＳアシスト要求には、携帯電話装置１０Ｂが在圏する領域の領域ＩＤ（＝ＲＩＤ０００３）等の情報が含まれている。
【０１０５】
アシストサーバ５０では、アシスト要求処理部６１が、ＧＰＳアシスト要求を受ける。ＧＰＳアシスト要求を受けたアシスト要求処理部６１は、上述したＧＰＳアシスト要求に対する応答処理Ｓ１０の処理を行う。ここで、領域ＩＤ（＝ＲＩＤ０００３）に対応するサービス可否情報は「可」であり、平均領域半径が５００ｍ以上、１０００ｋｍ未満であるので（図６参照）、アシスト要求処理部６１は、基準位置情報を提供しない旨を添えて、算出されたアシスト情報（捕捉用アシスト情報）を、携帯電話装置１０Ｂへ返送する。
【０１０６】
算出されたアシスト情報を受けた携帯電話装置１０Ｂでは、アシストＧＰＳ測位部３１Ｂが、ＧＰＳ衛星７０の捕捉を行う。このＧＰＳ衛星７０の捕捉が失敗した場合には、基準位置の代替ができないので、携帯電話装置１０Ｂにおける今回のＧＰＳ測位の失敗が確定する。
【０１０７】
ＧＰＳ衛星７０の捕捉に成功した場合には、アシストＧＰＳ測位部３１Ｂが、ＧＰＳ衛星７０からの信号を受信する。引き続き、アシストＧＰＳ測位部３１Ｂは、受信結果を添えて位置算出要求を基地局４１及びネットワーク４０を介してアシストサーバへ送る。
【０１０８】
アシストサーバ５０では、アシスト要求処理部６１が、位置算出要求を受ける。位置算出要求を受けたアシスト要求処理部６１では、ステップＳ３０において、位置算出部６６が、上述したように、衛星電波受信部５１から通知されるＧＰＳ衛星の信号を参照しつつ、位置算出要求に添えられたＧＰＳ衛星７０からの信号の受信結果に基づいて、位置算出を行う。そして、位置算出部６６は、算出された位置を携帯電話装置１０Ｂへ返送する。
【０１０９】
（４）領域ＩＤがＲＩＤ０００４である領域からのＧＰＳアシスト要求
（４−１）携帯電話装置１０Ａの場合
この場合には、図１５に示されるように、まず、携帯電話装置１０Ａが、領域ＩＤがＲＩＤ０００４である領域から基地局４１及びネットワーク４０を介して、ＧＰＳアシスト要求（第１種ＧＰＳアシスト要求）を行う。このＧＰＳアシスト要求には、携帯電話装置１０Ａが在圏する領域の領域ＩＤ（＝ＲＩＤ０００４）等の情報が含まれている。
【０１１０】
アシストサーバ５０では、アシスト要求処理部６１が、ＧＰＳアシスト要求を受ける。ＧＰＳアシスト要求を受けたアシスト要求処理部６１は、上述したＧＰＳアシスト要求に対する応答処理Ｓ１０の処理を行う。ここで、領域ＩＤ（＝ＲＩＤ０００４）に対応するサービス可否情報は「可」であり、平均領域半径が５００ｍ未満であるので（図６参照）、アシスト要求処理部６１は、基準位置情報を添えて、算出されたアシスト情報（捕捉用アシスト情報及び位置算出用アシスト情報）及び基準位置を、携帯電話装置１０Ａへ返送する。
【０１１１】
算出されたアシスト情報及び基準位置を受けた携帯電話装置１０Ａでは、アシストＧＰＳ測位部３１Ａが、アシストＧＰＳ測位を行う。なお、このアシストＧＰＳ測位が失敗した場合には、基準位置の代替ができるので、アシストサーバ５０から返送されてきた基準位置を、アシストＧＰＳ測位部３１Ａが、測位結果として確定する。
【０１１２】
（４−２）携帯電話装置１０Ｂの場合
この場合には、図１６に示されるように、まず、携帯電話装置１０Ｂが、領域ＩＤがＲＩＤ０００４である領域から基地局４１及びネットワーク４０を介して、ＧＰＳアシスト要求（第２種ＧＰＳアシスト要求）を行う。このＧＰＳアシスト要求には、携帯電話装置１０Ｂが在圏する領域の領域ＩＤ（＝ＲＩＤ０００４）等の情報が含まれている。
【０１１３】
アシストサーバ５０では、アシスト要求処理部６１が、ＧＰＳアシスト要求を受ける。ＧＰＳアシスト要求を受けたアシスト要求処理部６１は、上述したＧＰＳアシスト要求に対する応答処理Ｓ１０の処理を行う。ここで、領域ＩＤ（＝ＲＩＤ０００４）に対応するサービス可否情報は「可」であり、平均領域半径が５００ｍ未満であるので（図６参照）、アシスト要求処理部６１は、算出されたアシスト情報（捕捉用アシスト情報）及び基準位置を、携帯電話装置１０Ｂへ返送する。
【０１１４】
算出されたアシスト情報及び基準位置を受けた携帯電話装置１０Ｂでは、アシストＧＰＳ測位部３１Ｂが、ＧＰＳ衛星７０の捕捉を行う。このＧＰＳ衛星７０の捕捉が失敗した場合には、基準位置の代替ができるので、アシストサーバ５０から返送されてきた基準位置を、アシストＧＰＳ測位部３１Ｂが、測位結果として確定し、さらに衛星の捕捉失敗の結果と共にネットワーク４０を介してアシストサーバ５０へ送る。
【０１１５】
ＧＰＳ衛星７０の捕捉に成功した場合には、アシストＧＰＳ測位部３１Ｂが、ＧＰＳ衛星７０からの信号を受信する。引き続き、アシストＧＰＳ測位部３１Ｂは、受信結果を添えて位置算出要求を基地局４１及びネットワーク４０を介してアシストサーバ５０へ送る。
【０１１６】
アシストサーバ５０では、アシスト要求処理部６１が、位置算出要求を受ける。位置算出要求を受けたアシスト要求処理部６１では、ステップＳ３０において、位置算出部６６が、上述したように、衛星電波受信部５１から通知されるＧＰＳ衛星の信号を参照しつつ、位置算出要求に添えられたＧＰＳ衛星７０からの信号の受信結果に基づいて、位置算出を行う。そして、位置算出部６６は、算出された位置を携帯電話装置１０Ｂへ返送する。
【０１１７】
＜様々な領域から基準位置要求が行われた場合の処理＞
次いで、携帯電話装置１０Ａ又は１０Ｂが、図６の領域ＩＤがＲＩＤ０００１〜０００４である領域から基準位置要求を行う場合の処理について説明する。なお、携帯電話装置１０Ａ又は１０Ｂは、基準位置を代えて新たにアシストＧＰＳ測位を行おうとする場合、又は、領域ＩＤ測位を行おうとする場合に、基準位置要求をアシストサーバ５０へ送る。ここで、基準位置を代えて新たにアシストＧＰＳ測位を行おうとする場合には、アシストＧＰＳ測位部３１Ａ又は３１Ｂが、基準位置要求をアシストサーバ５０へ送る。また、領域ＩＤ測位を行おうとする場合には、領域ＩＤ測位部３３が、基準位置要求をアシストサーバ５０へ送る。
【０１１８】
（１）領域ＩＤがＲＩＤ０００１である領域からの基準位置要求
この場合には、図１７に示されるように、まず、携帯電話装置１０Ａ又は１０Ｂが、領域ＩＤがＲＩＤ０００１である領域から基地局４１及びネットワーク４０を介して、基準位置要求を行う。この基準位置要求には、携帯電話装置１０Ａ又は１０Ｂが在圏する領域の領域ＩＤ（＝ＲＩＤ０００１）等の情報が含まれている。
【０１１９】
アシストサーバ５０では、基準位置要求処理部６２が、基準位置要求を受ける。基準位置要求を受けた基準位置要求処理部６２は、上述した基準位置要求に対する応答処理Ｓ２０の処理を行う。ここで、領域ＩＤ（＝ＲＩＤ０００１）に対応するサービス可否情報は「不可」なので（図６参照）、基準位置要求処理部６２は、サービス拒否を返送する。このサービス拒否を受けた携帯電話装置１０Ａ又は１０Ｂでは、今回の基準位置取得を失敗することになる。
【０１２０】
（２）領域ＩＤがＲＩＤ０００２である領域からの基準位置要求
この場合には、図１８に示されるように、まず、携帯電話装置１０Ａ又は１０Ｂが、領域ＩＤがＲＩＤ０００２である領域から基地局４１及びネットワーク４０を介して、基準位置要求を行う。この基準位置要求には、携帯電話装置１０Ａ又は１０Ｂが在圏する領域の領域ＩＤ（＝ＲＩＤ０００２）等の情報が含まれている。
【０１２１】
アシストサーバ５０では、基準位置要求処理部６２が、基準位置要求を受ける。基準位置要求を受けた基準位置要求処理部６２は、上述した基準位置要求に対する応答処理Ｓ２０の処理を行う。ここで、領域ＩＤ（＝ＲＩＤ０００２）に対応するサービス可否情報は「可」であり、平均領域半径が１０００ｋｍ以上であるので（図６参照）、基準位置処理部６２は、有効な基準位置を提供できない旨を返送する。このサービス拒否を受けた携帯電話装置１０Ａ又は１０Ｂでは、今回の基準位置取得を失敗することになる。
【０１２２】
（３）領域ＩＤがＲＩＤ０００３である領域からの基準位置要求
この場合には、領域ＩＤ（＝ＲＩＤ０００３）に対応するサービス可否情報は「可」であり、平均領域半径が５００ｍ以上かつ１０００ｋｍ未満であるので（図６参照）、領域ＩＤがＲＩＤ０００２である領域からの基準位置要求の場合と同様の処理が行われる。
【０１２３】
（４）領域ＩＤがＲＩＤ０００４である領域からの基準位置要求
この場合には、図１９に示されるように、まず、携帯電話装置１０Ａ又は１０Ｂが、領域ＩＤがＲＩＤ０００４である領域から基地局４１及びネットワーク４０を介して、基準位置要求を行う。この基準位置要求には、携帯電話装置１０Ａ又は１０Ｂが在圏する領域の領域ＩＤ（＝ＲＩＤ０００４）等の情報が含まれている。
【０１２４】
アシストサーバ５０では、基準位置要求処理部６２が、基準位置要求を受ける。基準位置要求を受けた基準位置要求処理部６２は、上述した基準位置要求に対する応答処理Ｓ２０の処理を行う。ここで、領域ＩＤ（＝ＲＩＤ０００４）に対応するサービス可否情報は「可」であり、平均領域半径が５００ｍ未満であるので（図６参照）、基準位置処理部６２は、基準位置を返送する。この基準位置を受けた携帯電話装置１０Ａ又は１０Ｂでは、基準位置取得に成功する。
【０１２５】
以上説明したように、本実施形態では、携帯電話装置１０Ａ又は１０Ｂの現在位置の測位に際して、アシストサーバ５０が、携帯電話装置１０Ａ又は１０Ｂが在圏している領域の識別情報である領域ＩＤを含むＧＰＳアシスト要求又は基準位置要求を受けると、アシストサーバ５０内の領域判定部６４又は６７が、当該領域ＩＤに関するデータベース部６３内の登録情報におけるサービス可否情報が「否」であるか否かを判定する。この判定の結果が肯定的であった場合には、領域判定部６４又は６７は、アシストを拒否すべきであると判断し、その旨をアシスト情報返送部６５又は基準位置返送部６８に報告する。この報告を受けたアシスト情報返送部６５又は基準位置返送部６８は、アシスト拒否を、ＧＰＳアシスト要求を行った携帯電話装置１０Ａ又は１０Ｂへ返送する。したがって、携帯電話装置１０Ａ又は１０Ｂの現在位置のアシストＧＰＳ測位又は領域ＩＤ測位に際して、アシストサービスを携帯電話装置１０Ａ又は１０Ｂに適切に提供することができる。
【０１２６】
また、本実施形態では、領域判定部６４が、ＧＰＳアシスト要求に含まれる領域ＩＤに対応するデータベース部６３内の登録情報におけるサービス可否情報が「可」であり、かつ、平均領域半径が１０００ｋｍ以上か否かを判定する。この判定の結果が肯定的であった場合には、領域判定部６４は、ＧＰＳ測位のために有効なアシスト情報を求めることができない蓋然性が高いため、自律ＧＰＳ測位を促すべきであると判断し、その旨をアシスト情報返送部６５に報告する。この報告を受けたアシスト情報返送部６５は、自律ＧＰＳ測位を推奨する旨を、ＧＰＳアシスト要求を行った携帯電話装置１０Ａ又は１０Ｂへ返送する。このため、有効でないＧＰＳアシスト情報を利用したＧＰＳ測位を行って測位失敗を繰り返すことを防止することができる。また、自律ＧＰＳ測位を行うことを推奨する旨を受けた装置（本実施形態では携帯電話装置１０Ａ）が自動的に自律ＧＰＳ測位を開始するようにすることにより、当該装置の利用者の利便性を向上することができる。
【０１２７】
また、本実施形態では、領域判定部６４が、ＧＰＳアシスト要求に含まれる領域ＩＤに対応するデータベース部６３内の登録情報におけるサービス可否情報が「可」であり、かつ、平均領域半径が５００ｍ以上、１０００ｋｍ未満か否かを判定する。この判定の結果が肯定的であった場合には、領域判定部６４は、ＧＰＳ測位のための有効なアシスト情報を求めることができる蓋然性は高いが、携帯電話装置１０Ａ又は１０Ｂが基準位置情報を有効活用できる蓋然性が低いと判断し、その旨をアシスト情報返送部６５に報告する。この報告を受けたアシスト情報返送部６５は、アシスト情報を算出した後、基準位置情報を提供しない旨を添えて、算出されたアシスト情報を、ＧＰＳアシスト要求を行った携帯電話装置１０Ａ又は１０Ｂへ返送する。このため、有効でない基準位置を利用することによる混乱を防止することができる。
【０１２８】
また、本実施形態では、領域判定部６４が、ＧＰＳアシスト要求に含まれる領域ＩＤに対応するデータベース部６３内の登録情報におけるサービス可否情報が「可」であり、かつ、平均領域半径が５００ｍ未満であるか否かを判定する。この判定の結果が肯定的であった場合には、領域判定部６４は、ＧＰＳ測位のための有効なアシスト情報を求めることができる蓋然性は高く、かつ、携帯電話装置１０Ａ又は１０Ｂが基準位置情報を有効活用できる蓋然性が高いと判断し、その旨をアシスト情報返送部６５に報告する。この報告を受けたアシスト情報返送部６５は、アシスト情報を算出した後、算出されたアシスト情報及び基準位置情報、ＧＰＳアシスト要求を行った携帯電話装置１０Ａ又は１０Ｂへ返送する。このため、ＧＰＳアシスト要求を行った携帯電話装置１０Ａ又は１０Ｂは、アシストＧＰＳ測位に失敗したときに、有効である蓋然性が高い基準位置を現在位置として利用することができる。
【０１２９】
また、本実施形態では、領域判定部６７が、基準位置要求に含まれる領域ＩＤに対応するデータベース部６３内の登録情報におけるサービス可否情報が「可」であり、かつ、平均領域半径が５００ｍ以上か否かを判定する。この判定の結果が肯定的であった場合には、領域判定部６７は、携帯電話装置１０Ａ又は１０Ｂが基準位置情報を有効活用できる蓋然性が低いと判断し、その旨を基準位置返送部６８に報告する。この報告を受けた基準位置返送部６８は、有効な基準位置情報を提供できない旨を添えて、基準位置情報を、基準位置要求を行った携帯電話装置１０Ａ又は１０Ｂへ返送する。このため、有効でない基準位置を利用することによる混乱を防止することができる。
【０１３０】
また、本実施形態では、領域判定部６７が、基準位置要求に含まれる領域ＩＤに対応するデータベース部６３内の登録情報におけるサービス可否情報が「可」であり、かつ、平均領域半径が５００ｍ未満か否かを判定する。この判定の結果が肯定的であった場合には、領域判定部６７は、携帯電話装置１０Ａ又は１０Ｂが基準位置情報を有効活用できる蓋然性が高いと判断し、その旨を基準位置返送部６８に報告する。この報告を受けた基準位置返送部６８は、基準位置情報を、基準位置要求を行った携帯電話装置１０Ａ又は１０Ｂへ返送する。このため、基準位置要求を行った携帯電話装置１０Ａ又は１０Ｂは、有効である蓋然性が高い基準位置を現在位置として利用することができる。
【０１３１】
［実施形態の変形］
なお、上記の実施形態では、アシストサーバにおいて有効なアシスト情報が算出できない領域の大きさを平均領域半径が１０００ｋｍ以上としたが、他の大きさ、例えば、平均領域半径が５００ｋｍ以上や、１２００ｋｍ以上とすることもできる。
【０１３２】
また、上記の実施形態では、基準位置が有効活用できる領域の大きさを平均領域半径が５００ｍ未満としたが、例えば、平均領域半径が３００ｍ未満や、７００ｍ未満とすることもできる。
【０１３３】
また、本実施形態においては、アシストサーバ５０は単一のサーバ装置であるとしたが、複数のサーバ装置により構成されるサーバシステムであってもよい。
【０１３４】
また、本実施形態においては、移動通信端末装置を携帯電話装置として適用したが、携帯電話装置以外の移動通信端末装置に適用できるのは勿論である。
【産業上の利用可能性】
【０１３５】
以上説明したように、測位アシスト方法及び測位システムは、移動通信端末装置の現在位置測位のアシストに適用することができる。また、本発明の測位アシストサーバは、測位システムの構築の際に利用することができる。
【図面の簡単な説明】
【０１３６】
【図１】本発明の一実施形態に係る測位システムの構成を概略的に示す図である。
【図２】図１のMS-based方式を採用する携帯電話装置（１０Ａ）の外観構成を概略的に示す図である。
【図３】図２の携帯電話装置の内部構成を概略的に示すブロック図である。
【図４】図１のMS-Assisted方式を採用する携帯電話装置（１０Ｂ）の内部構成を概略的に示すブロック図である。
【図５】図１のアシストサーバの構成を概略的に示すブロック図である。
【図６】図５のデータベース部の登録例を説明するための図である。
【図７】図５のアシスト要求処理部の構成を概略的に示すブロック図である。
【図８】図５の基準位置要求処理部の構成を概略的に示すブロック図である。
【図９】図７のアシスト要求処理部によるＧＰＳアシスト要求に対する応答処理を説明するためのフローチャートである。
【図１０】図８の基準位置要求処理部における基準位置要求に対する応答処理を説明するためのフローチャートである。
【図１１】図１のシステムにおけるＧＰＳアシスト要求に対する処理を説明するためのシーケンス図（その１）である。
【図１２】図１のシステムにおけるＧＰＳアシスト要求に対する処理を説明するためのシーケンス図（その２）である。
【図１３】図１のシステムにおけるＧＰＳアシスト要求に対する処理を説明するためのシーケンス図（その３）である。
【図１４】図１のシステムにおけるＧＰＳアシスト要求に対する処理を説明するためのシーケンス図（その４）である。
【図１５】図１のシステムにおけるＧＰＳアシスト要求に対する処理を説明するためのシーケンス図（その５）である。
【図１６】図１のシステムにおけるＧＰＳアシスト要求に対する処理を説明するためのシーケンス図（その６）である。
【図１７】図１のシステムにおける基準情報要求に対する処理を説明するためのシーケンス図（その１）である。
【図１８】図１のシステムにおける基準情報要求に対する処理を説明するためのシーケンス図（その２）である。
【図１９】図１のシステムにおける基準情報要求に対する処理を説明するためのシーケンス図（その３）である。
【符号の説明】
【０１３７】
１０Ａ，１０Ｂ…携帯電話装置（移動通信端末装置）、１１…シャーシ、１２…操作部、１３…表示部、１４…通話用スピーカ、１５…マイクロフォン、１６…案内用スピーカ、１７…アンテナ、２１Ａ，２１Ｂ…制御部、２２…送受信部、２３…ＧＰＳアンテナ、２４…ＧＰＳ受信部、３１Ａ，３１Ｂ…アシストＧＰＳ測位部、３２…自律ＧＰＳ測位部、３３…領域ＩＤ測位部、４０…ネットワーク、４１…基地局、５０…アシストサーバ（測位アシストサーバ）、５１…衛星電波受信部、５２…送受信部、５３…制御部、６１…アシスト要求処理部、６２…基準位置要求処理部、６３…データベース部、６４…領域判定部（サービス提供判定手段の一部、ＧＰＳアシスト有効性判定手段、基準位置判定手段）、６５…アシスト情報返送部（サービス拒否手段の一部、アシスト情報返送手段、自律ＧＰＳ測位推奨手段）、６６…位置算出部、６７…領域判定部（サービス提供判定手段の一部、基準位置有効性判定手段）、６８…基準位置返送部（サービス拒否手段の一部、基準位置情報返送手段）。
【図１】
2008002880.tif 000003
【図２】
2008002880.tif 000004
【図３】
2008002880.tif 000005
【図４】
2008002880.tif 000006
【図５】
2008002880.tif 000007
【図６】
2008002880.tif 000008
【図７】
2008002880.tif 000009
【図８】
2008002880.tif 000010
【図９】
2008002880.tif 000011
【図１０】
2008002880.tif 000012
【図１１】
2008002880.tif 000013
【図１２】
2008002880.tif 000014
【図１３】
2008002880.tif 000015
【図１４】
2008002880.tif 000016
【図１５】
2008002880.tif 000017
【図１６】
2008002880.tif 000018
【図１７】
2008002880.tif 000019
【図１８】
2008002880.tif 000020
【図１９】
2008002880.tif 000021